(57)【要約】 【課題】  線径の太い巻線の線材にも対応でき、組み立てでの電極端子の構成が簡単で、かつ工数が低減されたチョークコイルおよびチョークコイル用ボビンを得る。【解決手段】  磁性材料コアと、巻線２と、チョークコイル用ボビン９とで構成されるチョークコイルであって、前記チョークコイル用ボビン９は、筒部と、前記筒部の両側に配置された鍔１０とで構成され、前記磁性材料コアの一部が、前記チョークコイル用ボビン９の筒部に収納され、前記各鍔の部分は、巻線を保持する平板部１と、端子保持台８と、端子保持部とで構成され、端子保持部の下側に、スリット５２が設けられており、前記巻線からの引き出し電線が、前記スリットを通過して、迂回して、固定用端子と、同一方向に引き出され、かつ、前記引き出し電線の先端部は、あらかじめ、半田処理されており、前記引き出し電線の先端部が、チョークコイルの電極端子３を兼ねるチョークコイルとする。 【選択図】  図１
2005294770.tif 000002
【特許請求の範囲】
【請求項１】
磁性材料コアと、巻線と、チョークコイル用ボビンとで構成されるチョークコイルであって、前記チョークコイル用ボビンは、筒部と、前記筒部の両側に配置された鍔部分とで構成され、前記磁性材料コアの一部が、前記チョークコイル用ボビンの筒部に収納され、前記各鍔部分は、巻線を保持する平板部と、端子保持台と、端子保持部とで構成され、端子保持部と平板部との間に、スリットが設けられており、前記巻線からの引き出し電線が、前記スリットを通過して、前記端子保持部を迂回して、固定用端子と、同一方向に引き出され、かつ、前記引き出し電線の先端部は、あらかじめ、半田処理されており、前記引き出し電線の先端部が、チョークコイルの電極端子を兼ねることを特徴とするチョークコイル。 
【請求項２】
磁性材料コアと、巻線と、チョークコイル用ボビンとで構成されるチョークコイルであって、前記チョークコイル用ボビンは、筒部と、前記筒部の両側に配置された鍔部分とで構成され、前記各鍔部分は、巻線を保持する平板部と、端子保持台と、固定用端子が埋め込まれた複数の端子保持部とで構成され、前記端子保持部は、溝部分で分離され、いずれか１個の端子保持部には、突出凸部が設けられ、前記端子保持台との間にスリットが設けられ、前記巻線からの引き出し電線が、前記溝部分を通過して、前記スリットを通過して、前記突出凸部を迂回して、固定用端子と、同一方向に引き出され、かつ、前記引き出し電線の先端部は、あらかじめ、半田処理されており、前記引き出し電線の先端部が、チョークコイルの電極端子を兼ねることを特徴とするチョークコイル。 
【請求項３】
磁性材料コアと、巻線と、チョークコイル用ボビンとで構成されるチョークコイルであって、前記チョークコイル用ボビンは、筒部と、前記筒部の両側に配置された鍔部分とで構成され、前記チョークコイル用ボビンは、中空部分を有する筒部と、前記筒部の両側に配置された鍔部分とで構成され、前記各鍔部分は、巻線を保持する平板部と、端子保持台と、固定用端子が埋め込まれた複数の端子保持部とで構成され、前記端子保持部は、溝部分で分離され、いずれか１個の端子保持部には、湾曲部を有する湾曲凸部が設けられ、前記湾曲部を有する凸部と前記端子保持台との間にスリットが設けられ、前記巻線からの引き出し電線が、前記溝部分を通過して、前記スリット部を通過し湾曲凸部を迂回して、前記固定用端子と、同一方向に引き出され、かつ、前記引き出し電線の先端部は、あらかじめ、半田処理されており、前記引き出し電線の先端部が、チョークコイルの電極端子を兼ねることを特徴とするチョークコイル。 
【請求項４】
筒部と、前記筒部の両側に配置された鍔部分とで構成されたチョークコイル用ボビンであって、前記各鍔部分は、巻線を保持する平板部と、端子保持台と、端子保持部とで構成され、端子保持部と平板部との間にスリットが設けられたことを特徴とするチョークコイル用ボビン。
【請求項５】
筒部と、前記筒部の両側に配置された鍔部分とで構成されたチョークコイル用ボビンであって、前記各鍔部分は、巻線を保持する平板部と、端子保持台と、固定用端子が埋め込まれた複数の端子保持部とで構成され、前記端子保持部は、溝部分で分離され、いずれか１個の端子保持部には、突出凸部が設けられ、前記端子保持台との間にスリットが設けらたことを特徴とするチョークコイル用ボビン。
【請求項６】
筒部と、前記筒部の両側に配置された鍔部分とで構成されたチョークコイル用ボビンであって、前記各鍔部分は、巻線を保持する平板部と、端子保持台と、固定用端子が埋め込まれた複数の端子保持部とで構成され、前記端子保持部は、溝部分で分離され、いずれか１個の端子保持部には、湾曲部を有する突出凸部が設けられ、前記湾曲部を有する突出凸部と前記端子保持台との間にスリットが設けられたことを特徴とするチョークコイル用ボビン。     
【発明の詳細な説明】
【技術分野】
【０００１】
本発明は、主として携帯端末、電源機器などに使用されるのに好適な、低背型の面実装型のチョークコイルおよびチョークコイル用ボビンに関する。
【背景技術】
【０００２】
従来のインダクタあるいはトランスは、磁性材と巻線と、ボビンとで構成されており、前記ボビンには、端子が配置され、前記巻線の引き出し線が、前記端子に巻かれて、半田処理される構成が一般的である。
【０００３】
特許文献１には、インダクダのボビンの端子取り付け部に、巻線の引き出し部を巻いて固定する方法が記載されている。
【０００４】
図４は、従来のチョークコイルの説明図である。図４に示すチョークコイルは、磁性体コア７１とチョークコイル用ボビン９１と巻線２１とで構成されている。ここで、チョークコイル用ボビン９１は、筒部と筒部の両側に配置された鍔１００とで構成されている。巻線２１の巻部は、電極端子３１に巻き付けられ、はんだ付けされている。
【０００５】
【特許文献１】特開２００２−２９９１３１号公報
【発明の開示】
【発明が解決しようとする課題】
【０００６】
従来の面実装型インダクタは、以下の問題点があった。第１の問題点は、 巻線からの引き出しワイヤと、端子とを接続する時、引き出しワイヤが浮き上がるという問題点である。また、第２の問題点は、引き出しワイヤの位置が定まらないという問題点である。また、第３の問題点は、引き出しワイヤと端子との接続に用いる半田の量にばらつきが生じ、これによって、高さ寸法がばらつくという問題点がある。また、第４の問題点は、引き出しワイヤと端子との接続の作業がやりにくいという問題点である。
【０００７】
従って、本発明の目的は、線径の太い巻線の線材にも対応でき、組み立てでの電極端子の構成が簡単で、かつ工数が低減されたチョークコイルおよびチョークコイル用ボビンを提供することである。
【課題を解決するための手段】
【０００８】
本発明は、磁性材料コアと、巻線と、チョークコイル用ボビンとで構成されるチョークコイルであって、前記チョークコイル用ボビンは、筒部と、前記筒部の両側に配置された鍔部分とで構成され、前記磁性材料コアの一部が、前記チョークコイル用ボビンの筒部に収納され、前記各鍔部分は、巻線を保持する平板部と、端子保持台と、端子保持部とで構成され、端子保持部の下側に、スリットが設けられており、前記巻線からの引き出し電線が、前記スリットを通過して、迂回して、固定用端子と、同一方向に引き出され、かつ、前記引き出し電線の先端部は、あらかじめ、半田処理されており、前記引き出し電線の先端部が、チョークコイルの電極端子を兼ねるチョークコイルである。 
【０００９】
また、本発明は、磁性材料コアと、巻線と、チョークコイル用ボビンとで構成される チョークコイルであって、 前記チョークコイル用ボビンは、筒部と、前記筒部の両側に配置された鍔部分とで構成され、前記各鍔部分は、巻線を保持する平板部と、端子保持台と、固定用端子が埋め込まれた複数の端子保持部とで構成され、前記端子保持部は、溝部分で分離され、いずれか１個の端子保持部には、突出凸部が設けられ、前記端子保持台との間にスリットが設けられ、前記巻線からの引き出し電線が、前記溝部分を通過して、前記スリットを通過して、前記突出凸部を迂回して、固定用端子と、同一方向に引き出され、かつ、前記引き出し電線の先端部は、あらかじめ、半田処理されており、前記引き出し電線の先端部が、チョークコイルの電極端子をチョークコイルである。 
【００１０】
また、本発明は、磁性材料コアと、巻線と、チョークコイル用ボビン とで構成される チョークコイルであって、前記チョークコイル用ボビンは、筒部と、前記筒部の両側に配置された鍔部分とで構成され、前記チョークコイル用ボビンは、中空部分を有する筒部と、前記筒部の両側に配置された鍔部分とで構成され、前記各鍔部分は、巻線を保持する平板部と、端子保持台と、固定用端子が埋め込まれた複数の端子保持部とで構成され、前記端子保持部は、溝部分で分離され、いずれか１個の端子保持部には、湾曲部を有する突出凸部が設けられ、前記湾曲部を有する突出凸部と前記端子保持台との間にスリットが設けられ、前記巻線からの引き出し電線が、前記溝部分を通過して、前記周回する折り返し部分の下側のスリット部を通過して、湾曲した内側の側面部を通過して、前記固定用端子と、同一方向に引き出され、かつ、前記引き出し電線の先端部は、あらかじめ、半田処理されており、前記引き出し電線の先端部が、チョークコイルの電極端子を兼ねるチョークコイルである。 
【００１１】
また、本発明は、筒部と、前記筒部の両側に配置された鍔部分とで構成されたチョークコイル用ボビンであって、前記各鍔部分は、巻線を保持する平板部と、端子保持台と、端子保持部とで構成され、端子保持部の下側に、スリットが設けられたチョークコイル用ボビンである。
【００１２】
また、本発明は、筒部と、前記筒部の両側に配置された鍔部分とで構成されたチョークコイル用ボビンであって、前記各鍔部分は、巻線を保持する平板部と、端子保持台と、固定用端子が埋め込まれた複数の端子保持部とで構成され、前記端子保持部は、溝部分で分離され、いずれか１個の端子保持部には、突出凸部が設けられ、前記端子保持台との間にスリットが設けられたチョークコイル用ボビンである。
【００１３】
また、本発明は、筒部と、前記筒部の両側に配置された鍔部分とで構成されたチョークコイル用ボビンであって、前記各鍔部分は、巻線を保持する平板部と、端子保持台と、固定用端子が埋め込まれた複数の端子保持部とで構成され、前記端子保持部は、溝部分で分離され、いずれか１個の端子保持部には、湾曲部を有する突出凸部が設けられ、前記湾曲部を有する突出凸部と前記端子保持台との間にスリットが設けられたチョークコイル用ボビンである。     
【発明の効果】
【００１４】
本発明によれば、引き出し電線と端子との接続の問題が解消され、線径の太い巻線の線材にも対応でき、組み立てでの電極端子の構成が簡単で、かつ工数が低減されたチョークコイルおよびチョークコイル用ボビンを提供することができる。
【発明を実施するための最良の形態】
【００１５】
本発明の実施の形態によるチョークコイルおよびチョークコイル用ボビンについて、以下説明する。        
（実施の形態１）      
【００１６】
図１は、本発明の実施の形態１のチョークコイルの説明図である。図１では、磁性体コア７を組み立てる前の状態である。本発明のチョークコイルは、対称の形状の磁性体コア７とチョークコイル用ボビンと９と、巻線２とで構成されている。ここで、チョークコイル用ボビン９は、筒部と、前記筒部の両側に配置された鍔１０とで構成されている。
【００１７】
また、鍔１０は、巻線を保持する平板部１と、端子保持台８と、端子保持部５，６とで構成され、端子保持部５の下側に、スリット５２が設けられており、前記巻線２からの引き出し電線が、前記スリット５２を通過して、迂回して、固定用端子４と、同一方向に引き出され、かつ、前記引き出し電線の先端部は、あらかじめ、半田処理されており、前記引き出し電線の先端部が、チョークコイルの電極端子３を兼ねている。            
【００１８】
これによって、巻線２の線径が１．０φ以上の太い巻線の線材にも対応でき、組み立てでの電極端子の構成が簡単で、かつ工数が低減されたチョークコイルを提供できる。
（実施の形態２）      
【００１９】
図２は、本発明の実施の形態２のチョークコイルの説明図である。図２では、磁性体コア７ａを組み立てる前の状態である。本発明のチョークコイルは、対称の形状の磁性体コア７ａとチョークコイル用ボビン９ａと、巻線２ａとで構成されている。ここで、チョークコイル用ボビン９ａは、筒部と、前記筒部の両側に配置された鍔１０ａとで構成されている。
【００２０】
また、鍔１０ａは、巻線２ａを保持する平板部１ａと、端子保持台８ａと、端子保持部５ａ，６ａとで構成され、端子保持部５ａ，６ａは、溝部分で分離され、前記端子保持部５ａには、突出凸部５００が設けられ、前記端子保持台８ａとの間にスリット５２ａが設けられ、前記巻線２ａからの引き出し電線が、前記溝部分を通過して、前記突出凸部５００の下側のスリット５２ａを通過して、固定用端子４ａと、同一方向に引き出され、かつ、前記引き出し電線の先端部は、あらかじめ、半田処理されており、前記引き出し電線の先端部が、チョークコイルの電極端子３ａを兼ねている。          
【００２１】
これによって、巻線２の線径が１．０φ以上の太い巻線の線材にも対応でき、組み立てでの電極端子の構成が簡単で、かつ工数が低減されたチョークコイルを提供できる。
（実施の形態３）      
【００２２】
図３は、本発明の実施の形態３のチョークコイルの説明図である。図３では、磁性体コア７ｂを組み立てる前の状態である。本発明のチョークコイルは、対称の形状の磁性体コア７ｂとチョークコイル用ボビン９ｂ と、巻線２ｂとで構成されている。ここで、チョークコイル用ボビン９ｂは、筒部と、前記筒部の両側に配置された鍔１０ｂとで構成されている。
【００２３】
前記各鍔１０ｂは、巻線２ｂを保持する平板部と、端子保持台８ｂと、固定用端子４ｂが埋め込まれた複数の端子保持部５ｂ、６ｂとで構成され、前記端子保持部５ｂ、６ｂは、溝部分で分離され、前記端子保持部５ｂには、湾曲部を有する湾曲凸部５５０が設けられ、前記湾曲凸部５５０を有する突出凸部と前記端子保持台との間にスリット５２ｂが設けられている。  
【００２４】
前記巻線２ｂからの引き出し電線が、前記溝部分を通過して、前記周回する折り返し部分の下側のスリット５２ｂを通過して、湾曲した部分の内側の側面に沿って、前記固定用端子４ｂと、同一方向に引き出され、かつ、前記引き出し電線の先端部は、あらかじめ、半田処理されており、前記引き出し電線の先端部が、チョークコイルの電極端子３ｂを兼ねる。    
【００２５】
これによって、巻線２の線径が１．０φ以上の太い巻線の線材にも対応でき、組み立てでの電極端子の構成が簡単で、かつ工数が低減されたチョークコイルを提供できる。このようなボビンを用いることにより、引き出し電線の処理を容易に行うことができ、電極端子の位置決めも可能となる。
【図面の簡単な説明】
【００２６】
【図１】本発明の実施の形態１によるチョークコイルの説明図。
【図２】本発明の実施の形態２によるチョークコイルの説明図。
【図３】本発明の実施の形態３によるチョークコイルの説明図。
【図４】従来のチョークコイルの説明図。
【符号の説明】
【００２７】
１，１ａ，１ｂ，１１    平板部
２，２ａ，２ｂ，２１    巻線
３，３ａ，３ｂ，３１    電極端子
４，４ａ，４ｂ，４１    固定用端子
５，５ａ，５ｂ，６，６ａ，６ｂ，６１    端子保持部
７，７ａ，７ｂ，７１    磁性体コア
８，８ａ，８ｂ，８１    端子保持台       
９，９ａ，９ｂ，９１    チョークコイル用ボビン
１０，１０ａ，１０ｂ，１００    鍔
５２，５２ａ，５２ｂ    スリット
６０，６０ａ，６０ｂ，６０ｃ    溝部分
５００    突出凸部  
５５０    湾曲凸部  
【図１】
2005294770.tif 000003
【図２】
2005294770.tif 000004
【図３】
2005294770.tif 000005
【図４】
2005294770.tif 000006